(57)【要約】【課題】  防水性及び作業性を確保しつつ、液圧等により断熱材等が変形した場合であっても固定具により防水シートが破損するのを抑制する。【解決手段】  防水シート施工構造１０は、構造物の躯体１２に固定具２０により固定して設置されるシート接合部材１４と、このシート接合部材１４に接合されて構造物上に敷設される防水シート１６とを備えている。このシート接合部材１４は、防水シート１６が接合される接合面２２ａとこの接合面２２ａよりも凹んで形成され固定具２０が貫通する凹陥部２２ｂとを有する接合部材本体２２と、凹陥部２２ｂに設置され固定具２０の頭部２０ａを覆う押さえ板２４とを備えている。この押さえ板２４の防水シート１６側の表面２４ａは、防水シート１６を接合面２２ａに溶着させるための溶剤によっても防水シート１６に溶着しない。【選択図】        図２
2010105667.tif 000002
【特許請求の範囲】
【請求項１】
構造物の躯体に固定具により固定して設置されるシート接合部材と、前記シート接合部材に接合されて前記構造物上に敷設される防水シートとを備えた防水シート施工構造において、前記シート接合部材は、前記防水シートが接合される接合面と前記接合面よりも凹んで形成され前記固定具が貫通する凹陥部とを有する接合部材本体と、前記凹陥部に設置され前記固定具の頭部を覆う押さえ板とを備え、前記押さえ板の前記防水シート側の表面は、前記防水シートを前記接合面に溶着させるための溶剤によっても前記防水シートに溶着しないことを特徴とする防水シート施工構造。
【請求項２】
請求項１に記載された防水シート施工構造であって、前記シート接合部材は、断熱材を介して前記躯体に固定されることを特徴とする防水シート施工構造。
【請求項３】
請求項１又は請求項２のいずれかに記載された防水シート施工構造であって、前記構造物が液槽であることを特徴とする防水シート施工構造。
【請求項４】
請求項１乃至請求項３のいずれかに記載された防水シート施工構造であって、前記押さえ板は、前記溶剤に溶着しない金属製材料から形成されていることを特徴とする防水シート施工構造。
【請求項５】
請求項１乃至請求項４のいずれかに記載された防水シート施工構造であって、前記押さえ板の前記防水シート側の表面は、前記溶剤に溶解しない材料から形成された被覆材により被覆されていることを特徴とする防水シート施工構造。
【請求項６】
請求項１乃至請求項５のいずれかに記載された防水シート施工構造であって、前記押さえ板の少なくとも防水シート側の隅部は、曲面状に加工されていることを特徴とする防水シート施工構造。
【請求項７】
請求項１乃至請求項６のいずれかに記載された防水シート施工構造であって、前記押さえ板は、前記固定具の頭部よりも大きな表面積を有することを特徴とする防水シート施工構造。
【請求項８】
請求項１乃至請求項７のいずれかに記載された防水シート施工構造であって、前記押さえ板は、前記凹陥部よりも小径に形成されていることを特徴とする防水シート施工構造。
【請求項９】
請求項１乃至請求項８のいずれかに記載された防水シート施工構造であって、前記押さえ板の前記防水シート側の表面は、前記接合部材本体の接合面と略同一面となるように設置されることを特徴とする防水シート施工構造。
【請求項１０】
請求項１乃至請求項９のいずれかに記載された防水シート施工構造であって、前記押さえ板は、裏面がシーリング剤又は接着剤により前記接合部材本体の凹陥部に仮固定されていることを特徴とする防水シート施工構造。
【請求項１１】
請求項１乃至請求項１０のいずれかに記載された防水シート施工構造であって、前記シート接合部材の接合部材本体は、前記躯体又は前記断熱材に埋め込まれて設置されることを特徴とする防水シート施工構造。
【請求項１２】
請求項１乃至請求項１１のいずれかに記載された防水シート施工構造であって、前記シート接合部材の接合部材本体は、板状又は円盤状に形成されていることを特徴とする防水シート施工構造。
【請求項１３】
構造物の躯体に固定具により固定して設置され、前記構造物上に敷設される防水シートに接合される防水シート施工用シート接合部材であって、前記防水シートが接合される接合面と前記接合面よりも凹んで形成され前記固定具が貫通する凹陥部とを有する接合部材本体と、前記凹陥部に設置され前記固定具の頭部を覆う押さえ板とを備え、前記押さえ板の前記防水シート側の表面は、前記防水シートを前記接合面に溶着させるための溶剤によっても前記防水シートに溶着しないことを特徴とする防水シート施工用シート接合部材。
【請求項１４】
請求項１３に記載された防水シート施工用シート接合部材であって、前記押さえ板は、前記溶剤に溶着しない金属製材料から形成されていることを特徴とする防水シート施工用シート接合部材。
【請求項１５】
請求項１３又は請求項１４のいずれかに記載された防水シート施工用シート接合部材であって、前記押さえ板の前記防水シート側の表面は、前記溶剤に溶解しない材料から形成された被覆材により被覆されていることを特徴とする防水シート施工用シート接合部材。
【請求項１６】
請求項１３乃至請求項１５のいずれかに記載された防水シート施工用シート接合部材であって、前記押さえ板の少なくとも防水シート側の隅部は、曲面状に加工されていることを特徴とする防水シート施工用シート接合部材。
【請求項１７】
請求項１３乃至請求項１６のいずれかに記載された防水シート施工用シート接合部材であって、前記押さえ板は、前記固定具の頭部よりも大きな表面積を有することを特徴とする防水シート施工用シート接合部材。
【請求項１８】
請求項１３乃至請求項１７のいずれかに記載された防水シート施工用シート接合部材であって、前記押さえ板は、前記凹陥部よりも小径に形成されていることを特徴とする防水シート施工用シート接合部材。
【請求項１９】
請求項１３乃至請求項１８のいずれかに記載された防水シート施工用シート接合部材であって、前記押さえ板の前記防水シート側の表面は、前記接合部材本体の接合面と略同一面となるように設置されることを特徴とする防水シート施工用シート接合部材。
【請求項２０】
請求項１３乃至請求項１９のいずれかに記載された防水シート施工用シート接合部材であって、前記押さえ板は、裏面がシーリング剤又は接着剤により前記接合部材本体の凹陥部に仮固定されることを特徴とする防水シート施工用シート接合部材。
【請求項２１】
請求項１３乃至請求項２０のいずれかに記載された防水シート施工用シート接合部材であって、前記シート接合部材の接合部材本体は、板状又は円盤状に形成されていることを特徴とする防水シート施工用シート接合部材。
【発明の詳細な説明】
【技術分野】
【０００１】
本発明は、例えば、蓄熱槽等の液槽の内壁面に、シート接合部材を介して防水シートを敷設する防水シート施工構造及びそのような施工構造に使用することができるシート接合部材の改良に関し、特に、防水シートの破損を防止することに関するものである。
【背景技術】
【０００２】
例えば、オフィスビル等に構築される温水や冷水を貯蔵しておく蓄熱槽等の液槽の防水シート施工構造においては、コンクリート等の躯体内壁に断熱パネル等の断熱材を配置し、この断熱材の上に帯状や円盤状等の形状を有し合成樹脂が被覆された鋼板等から成るシート接合部材を設置して、これらのシート接合部材上から防水シートを敷設して、所要のシート接合部材に防水シートを溶剤により溶着させて接合する、いわゆる絶縁工法が用いられることがある（例えば、特許文献１参照）。
【０００３】
この工法においては、図５に示すように、シート接合部材１４を、ネジや釘等の固定具２０によって躯体１２に固定するが（例えば、特許文献２参照）、例えば、特に、水深が６ｍ以上となるような深い液槽の場合には、図５に示すように、水圧によって、断熱材１８が圧縮して変形し、それに伴い、防水シート１６が沈み込む結果、躯体１２に固定されている固定具２０の頭部２０ａが相対的にシート接合部材１４の上方に突出した状態となり、この突出した固定具２０の頭部２０ａにより、防水シート１６が破損するおそれがあった。
【０００４】
この問題を解決するためには、図６及び図７に示すように、シート接合部材１４において固定具２０の頭部２０ａを覆うように押さえ板２４を設置して、この押さえ板２４により、固定具２０の頭部２０ａの飛び出しを防止したり、頭部２０ａの圧力を受け止めて、防水シート１６に加わる応力を分散させる対策を採ることが考えられる（例えば、特許文献３の「係合板」参照）。
【０００５】
しかし、この場合、第１に、押さえ板２４を防水シート１６に接合すると、固定具２０の頭部２０ａと共に相対的に押さえ板２４が突出するように変位した場合、この押さえ板２４の変位に防水シート１６も追随して引っ張られて緊張するため、その圧力が加わる角度や、また、押さえ板２４の形状や大きさ、材質によっては、やはり、防水シート１６の変形や破損を招くおそれがある。この場合、シート接合部材１４において、この押さえ板２４に対応する部分のみを除いて、防水シート１６をシート接合部材１４に溶着させることも考えられるが、シート接合部材１４上に設置された押さえ板２４部分のみを回避して、溶着作業を行うのは、非常に手間を要し、防水シート１６の敷設作業の効率や作業性を著しく低下させる別の問題が生じる。
【０００６】
また、第２に、このように押さえ板２４を設置した場合、この押さえ板２４の厚みの分だけ、図６に示すように、シート接合部材１４と押さえ板２４との間に段差が生じることとなり、その結果、防水性が低下する別の問題が生じるおそれもある。具体的には、シート接合部材１４を使用する絶縁工法においては、防水シート１６を敷設する際、防水シート１６をシート接合部材１４と押さえ板２４の上に重ねるようにして敷設し、防水シート１６のうち、シート接合部材１４及び押さえ板２４と重なる部分に溶剤を塗布して、シート接合部材１４等の表面に被覆された合成樹脂と溶着させながら、当該重なり部分に施行作業者が手等により圧力を付加して接合作業を行うため、その手押さえ等による圧力が充分ではなかった場合には、図６に示すように、シート接合部材１４と押さえ板２４との段差近傍付近に未溶着部分Ｎ（図６参照）が発生し、そこから防水シート１６の剥離が進行して、防水性に影響を与えるおそれがある。また、このように、段差により、押さえ板２４部分のみが盛り上がった状態は、施工後の良好な外観を確保する観点からも好ましくない。この問題は、図７に示す従来技術において、押さえ板２４を含むシート接合部材１４と、断熱材１８との間に生じる段差についても、同様に生じる。
【０００７】
【特許文献１】特開２００１−０４０７１８号公報
【特許文献２】特開２００５−１４６７７４号公報
【特許文献３】特開平９−１１２９７１号公報
【発明の開示】
【発明が解決しようとする課題】
【０００８】
本発明が解決しようとする課題は、上記の問題点に鑑み、防水性及び作業性を確保しつつ、液圧等により断熱材等が変形した場合であっても固定具により防水シートが破損するのを抑制することができる防水シート施工構造及びそのような構造に使用することができる防水シート接合部材を提供することにある。
【課題を解決するための手段】
【０００９】
（１．防水シート施工構造）
本発明は、上記の課題を解決するための第１の手段として、構造物の躯体に固定具により固定して設置されるシート接合部材と、このシート接合部材に接合されて構造物上に敷設される防水シートとを備えた防水シート施工構造において、シート接合部材は、防水シートが接合される接合面とこの接合面よりも凹んで形成され固定具が貫通する凹陥部とを有する接合部材本体と、凹陥部に設置され固定具の頭部を覆う押さえ板とを備え、押さえ板の防水シート側の表面は、防水シートを接合面に溶着させるための溶剤によっても防水シートに溶着しないことを特徴とする防水シート施工構造を提供するものである。
【００１０】
本発明は、上記の課題を解決するための第２の手段として、上記第１の解決手段において、シート接合部材は、断熱材を介して躯体に固定されることを特徴とする防水シート施工構造を提供するものである。
【００１１】
本発明は、上記の課題を解決するための第３の手段として、上記第１又は第２のいずれかの解決手段において、構造物が液槽であることを特徴とする防水シート施工構造を提供するものである。
【００１２】
本発明は、上記の課題を解決するための第４の手段として、上記第１乃至第３のいずれかの解決手段において、押さえ板は、溶剤に溶着しない金属製材料から形成されていることを特徴とする防水シート施工構造を提供するものである。
【００１３】
本発明は、上記の課題を解決するための第５の手段として、上記第１乃至第４のいずれかの解決手段において、押さえ板の防水シート側の表面は、溶剤に溶解しない材料から形成された被覆材により被覆されていることを特徴とする防水シート施工構造を提供するものである。
【００１４】
本発明は、上記の課題を解決するための第６の手段として、上記第１乃至第５のいずれかの解決手段において、押さえ板の少なくとも防水シート側の隅部は、曲面状に加工されていることを特徴とする防水シート施工構造を提供するものである。
【００１５】
本発明は、上記の課題を解決するための第７の手段として、上記第１乃至第６のいずれかの解決手段において、押さえ板は、固定具の頭部よりも大きな表面積を有することを特徴とする防水シート施工構造を提供するものである。
【００１６】
本発明は、上記の課題を解決するための第８の手段として、上記第１乃至第７のいずれかの解決手段において、押さえ板は、凹陥部よりも小径に形成されていることを特徴とする防水シート施工構造を提供するものである。
【００１７】
本発明は、上記の課題を解決するための第９の手段として、上記第１乃至第８のいずれかの解決手段において、押さえ板の防水シート側の表面は、接合部材本体の接合面と略同一面となるように設置されることを特徴とする防水シート施工構造を提供するものである。
【００１８】
本発明は、上記の課題を解決するための第１０の手段として、上記第１乃至第９のいずれかの解決手段において、押さえ板は、裏面がシーリング剤又は接着剤により接合部材本体の凹陥部に仮固定されていることを特徴とする防水シート施工構造を提供するものである。
【００１９】
本発明は、上記の課題を解決するための第１１の手段として、上記第１乃至第１０のいずれかの解決手段において、シート接合部材の接合部材本体は、躯体又は断熱材に埋め込まれて設置されることを特徴とする防水シート施工構造を提供するものである。
【００２０】
本発明は、上記の課題を解決するための第１２の手段として、上記第１乃至第１１のいずれかの解決手段において、シート接合部材の接合部材本体は、板状又は円盤状に形成されていることを特徴とする防水シート施工構造を提供するものである。
【００２１】
（２．防水シート施工用シート接合部材）
また、本発明は、上記第１乃至第１２の課題解決手段である防水シート施工構造に使用することができるシート接合部材をも提供するものである。具体的には、本発明は、上記の課題を解決するための第１３の手段として、構造物の躯体に固定具により固定して設置され、構造物上に敷設される防水シートに接合される防水シート施工用シート接合部材であって、防水シートが接合される接合面とこの接合面よりも凹んで形成され固定具が貫通する凹陥部とを有する接合部材本体と、凹陥部に設置され固定具の頭部を覆う押さえ板とを備え、押さえ板の防水シート側の表面は、防水シートを接合面に溶着させるための溶剤によっても防水シートに溶着しないことを特徴とする防水シート施工用シート接合部材を提供するものである。
【００２２】
本発明は、上記の課題を解決するための第１４の手段として、上記第１３の解決手段において、押さえ板は、溶剤に溶着しない金属製材料から形成されていることを特徴とする防水シート施工用シート接合部材を提供するものである。
【００２３】
本発明は、上記の課題を解決するための第１５の手段として、上記第１３又は第１４のいずれかの解決手段において、押さえ板の防水シート側の表面は、溶剤に溶解しない材料から形成された被覆材により被覆されていることを特徴とする防水シート施工用シート接合部材を提供するものである。
【００２４】
本発明は、上記の課題を解決するための第１６の手段として、上記第１３乃至第１５のいずれかの解決手段において、押さえ板の少なくとも防水シート側の隅部は、曲面状に加工されていることを特徴とする防水シート施工用シート接合部材を提供するものである。
【００２５】
本発明は、上記の課題を解決するための第１７の手段として、上記第１３乃至第１６のいずれかの解決手段において、押さえ板は、固定具の頭部よりも大きな表面積を有することを特徴とする防水シート施工用シート接合部材を提供するものである。
【００２６】
本発明は、上記の課題を解決するための第１８の手段として、上記第１３乃至第１７のいずれかの解決手段において、押さえ板は、凹陥部よりも小径に形成されていることを特徴とする防水シート施工用シート接合部材を提供するものである。
【００２７】
本発明は、上記の課題を解決するための第１９の手段として、上記第１３乃至第１８のいずれかの解決手段において、押さえ板の防水シート側の表面は、接合部材本体の接合面と略同一面となるように設置されることを特徴とする防水シート施工用シート接合部材を提供するものである。
【００２８】
本発明は、上記の課題を解決するための第２０の手段として、上記第１３乃至第１９のいずれかの解決手段において、押さえ板は、裏面がシーリング剤又は接着剤により接合部材本体の凹陥部に仮固定されることを特徴とする防水シート施工用シート接合部材を提供するものである。
【００２９】
本発明は、上記の課題を解決するための第２１の手段として、上記第１３乃至第２０のいずれかの解決手段において、シート接合部材の接合部材本体は、板状又は円盤状に形成されていることを特徴とする防水シート施工用シート接合部材を提供するものである。
【発明の効果】
【００３０】
本発明によれば、上記のように、シート接合部材の押さえ板の表面は、防水シートを接合面に溶着させるための溶剤によっても防水シートに溶着しないように形成されているため、防水シートをシート接合部材に溶着接合するために防水シートのうち押さえ板を含めたシート接合部材全体に対応する部分に溶剤を塗布して、防水シートをシート接合部材に接合するだけで、その後、断熱材の変形等を原因として固定具の頭部が押さえ板を相対的に押し上げるように付勢した場合であっても、この押さえ板上の溶着されていない防水シートの範囲で、押さえ板が防水シートに対して変位が可能な遊びを備えさせることができるため、防水シートの敷設の良好な作業性を確保しつつ、液圧等により相対的に固定具が突出しようとした場合であっても、押さえ板が防水シートの伸縮に対して固定具による圧力を逃がして応力を分散するように変位することができるため、防水シートが押さえ板に追随して無理な伸縮をすることがなく、防水シートの破損を抑制することができる実益がある。
【００３１】
また、本発明によれば、上記のように、押さえ板の少なくとも防水シート側の隅部は、曲面状に加工されているため、防水シートのうち押さえ板の隅部と当接する部分に応力が集中して破損するのを抑制することができる実益がある。
【００３２】
更に、本発明によれば、上記のように、押さえ板は、固定具の頭部よりも大きな表面積を有するため、固定具の頭部が直接に防水シートを押し上げる場合に比べて、防水シートに加わる応力を分散することができるため、防水シートの損傷を抑制することができる実益がある。
【００３３】
加えて、本発明によれば、上記のように、押さえ板は、凹陥部よりも小径に形成されているため、固定具の頭部により相対的に押し上げられた場合でも、凹陥部内で防水シートに対して変位することができるスペースを確保することができ、その遊びにより防水シートへ加わる圧力を適切に逃がして防水シートの損傷を抑制することができる実益がある。
【００３４】
本発明によれば、上記のように、押さえ板は、裏面がシーリング剤又は接着剤により接合部材本体の凹陥部に仮固定されているため、防水シートのシート接合部材への接合時において、圧力等が付加されても、押さえ板を適正な位置に位置決めすることができ、特に、この場合、上記のように、押さえ板が接合部材本体の凹陥部より小径に形成されていると、シーリング剤又は接着剤が押さえ板の裏面から側面側にはみ出しても、はみ出たシーリング剤又は接着剤が押さえ板と凹陥部の内周面との間に生じる間隙内に止まるため、これらのはみ出たシーリング剤等が防水シートの溶着作業に影響を与えることがないと共に、余剰のシーリング剤等を拭き取る等の作業を必要としない実益がある。
【００３５】
本発明によれば、上記のように、押さえ板の表面は、接合部材本体の接合面と略同一面となるように設置されるため、押さえ板とシート接合面との間に段差が生じることがなく、作業の如何によって、押さえ板とシート接合面との間に未溶着部分が発生するのを防止して防水性を確保することができると同時に、敷設後に良好な外観を確保することもできる実益がある。
【００３６】
また、この場合、特に、上記のように、シート接合部材の接合部材本体を、躯体又は断熱材に埋め込んで設置すると、凹陥部が接合面よりも凹んで形成されていることと相俟って、シート接合部材自体が、断熱パネル等の断熱材から盛り上がることがなく、シート接合部材と断熱材や躯体等との間に未溶着部分が発生することも防止することができるとともに、より一層良好な外観を確保することができる実益がある。
【発明を実施するための最良の形態】
【００３７】
本発明の実施の形態を図面を参照しながら詳細に説明すると、図１は、本発明の防水シート施工構造１０を示し、この防水シート施工構造１０は、図１に示すように、構造物の躯体１２に設置されるシート接合部材１４と、このシート接合部材１４に接合されて構造物上に敷設される防水シート１６とを備えている。
【００３８】
この構造物としては、例えば、オフィスビル等の屋根や、オフィスビル等に構築される温水や冷水を貯蔵しておく蓄熱槽やプール等の液槽を挙げることができ、本発明は、これらの防水性が要求される構造物に適用することができる。また、図示の実施の形態に示すように、特に、蓄熱層等の断熱性が要求される構造物である場合には、図１に示すように、シート接合部材１４は、合成樹脂の発泡体等から形成された断熱パネル等の断熱材１８を介して躯体１２に固定される。即ち、この場合には、シート接合部材１４は、断熱材１８の上に設置される。
【００３９】
このシート接合部材１４は、その形状や大きさに特に限定はなく、その設置箇所に適合させて任意の形状や大きさとすることができる。例えば、図１に示すように、液槽等の構造物の隅部や側壁等に設置される場合には略Ｌ字形状や帯型等の板状の形状に形成し、また、構造物の底面の隅部を除いた箇所の躯体１等に設置する場合には円形等を有する円盤状の形状に形成して躯体１２上に点在させて設置することができる。また、このシート接合部材１４は、図２及び図４に示すように、釘やボルト等の打ち込みやねじ込みのための頭部２０ａを有する固定具２０により、構造物の躯体１２固定して設置される。
【００４０】
本発明におけるシート接合部材１４は、図１乃至図４に示すように、接合部材本体２２と、この都合部材本体２２を躯体１２に固定する固定具２０の頭部２０ａを押さえ止めるための押さえ板２４とを備えている。この接合部材本体２２は、特に図２及び図３に示すように、防水シート１６が接合される接合面２２ａと、この接合面２２ａよりも凹んで形成された凹陥部２２ｂとを有している。
【００４１】
この凹陥部２２ｂは、図２及び図３に示すように、その底面を更に凹ませて形成され固定具２０の頭部が収納される頭部収納部２２ｃと、この頭部収納部２２ｃの底面に形成され固定具２０の杆部が貫通する固定具貫通孔２２ｄが形成されている。シート接合部材１４は、この固定具貫通孔２２ｄに固定具２０を貫通させて、固定具２０の頭部２０ａが頭部収納部２２ｃ内に収納されるまで、固定具２０を躯体１２に打ち込み又はねじ込むことにより躯体１２に固定して取り付けられる。
【００４２】
また、シート接合部材１４のうち、この接合部材本体２２は、接合面２２ａにおいて、防水シート１６と接合される。具体的には、防水シート１６のうち、シート接合部材１４に対応する部分に溶剤を塗布し、この溶剤によりシート接合部材１４の接合面２２ａに溶着によって接合され、これにより防水シート１６を躯体１２上に固定する。
【００４３】
このため、この防水シート１６と溶着される接合面２２ａを有する接合部材本体２２は、溶剤により防水シート１６と溶着することができるように形成する。即ち、接合部材本体２２は、溶剤により防水シート１６と溶着することができる態様、具体的には、合成樹脂板や、鋼板を芯材としてその表面に合成樹脂を被覆した合成樹脂被覆鋼板等から形成することができる。この接合部材本体２２に使用する合成樹脂としては、例えば、ポリ塩化ビニル樹脂、ポリオレフィン系樹脂、エチレン酢酸ビニル共重合体等の軟質の合成樹脂や、合成ゴム系の材質を選択することができるが、その中でも、特に、ポリ塩化ビニル樹脂は、溶剤溶着性や熱融着性に優れるため好適である。
【００４４】
なお、凹陥部２２ｂや頭部収納部２２ｃ、固定具貫通孔２２ｄは、接合部材本体２２を合成樹脂被覆鋼板から形成する場合には、プレス成型加工機等によりプレス加工して形成することができ、接合部材本体２２を合成樹脂板として形成する場合には射出成形等の適宜の樹脂加工方法により形成することができる。これにより、凹陥部２２ｂ等の形成加工が容易となるとともに、コストも低減することができる。
【００４５】
一方、押さえ板２４は、図２及び図３に示すように、頭部収納部２２ｃ内に収納された固定具２０の頭部２０ａを覆うように接合部材２２の凹陥部２２ａに設置される。従って、この押さえ板２４は、凹陥部２２ａに対応する形状に形成することが望ましい。具体的には、これらの凹陥部２２ｂ及びこれに対応する押さえ板２４の外形には特に限定はなく、円形、楕円形、矩形、多角形等の適宜の形状とすることができるが、図１及び図４に示すように、円形又は楕円形に形成することが好ましい。四角形等の角を有する形状であると、防水シート１６を破損するおそれがあるためである。また、押さえ板２４の厚みについても、特に限定はないが、ある程度の強度を確保する観点からは、少なくとも、１ｍｍ以上の厚みとすることが好ましい。
【００４６】
本発明においては、この押さえ板２４は、その防水シート１６側の表面２４ａが、防水シート１６を接合面２２ａに溶着させるための溶剤によっても防水シート１６に溶着しないように形成されている。このため、液圧等により相対的に固定具２０が突出しようとした場合であっても、この押さえ板２４が防水シート１６の伸縮に対して固定具２０の頭部２０ａによる圧力を逃がして応力を分散するように変位することができるため、押さえ板２４を防水シート１６に接合する場合と異なり防水シート１６が押さえ板２４に追随して無理な伸縮をすることがなく、防水シート１６の破損を抑制することができる。
【００４７】
特に、この場合、防水シート１６を、シート接合部材１４に溶着接合するために防水シート１６のうち押さえ板２４を含めたシート接合部材１４全体に対応する部分に溶剤を塗布して、防水シート１６をシート接合部材１４に接合するだけで、その後、断熱材１８の変形等を原因として固定具２０の頭部２０ａが押さえ板２４を相対的に押し上げるように付勢した場合であっても、この押さえ板２４上の溶着されていない防水シート１６の範囲で、押さえ板２４が防水シート１６に対して変位が可能な遊びを備えさせることができるため、従来と同様の防水シート１６の敷設の良好な作業性を確保しつつ、防水シート１６の破損を抑制することができる点で有益である。
【００４８】
この場合、具体的には、押さえ板２４を、溶剤に溶着しない鋼板等の金属製材料から形成し、その表面を無垢の状態とすることにより対応することができる。このような金属製材料としては、例えば、その耐食性等を考慮すると、ステンレス等を挙げることができる。
【００４９】
その他の手段として、押さえ板２４を、接合部材本体２２と同様に、金属製又は樹脂製の材料から形成した上で、押さえ板２４の少なくとも防水シート１６側の表面２４ａを、溶剤に溶解しない材料から形成された被覆材により被覆することにより対応することができる。この被覆材としては、溶剤に溶解しない材質であれば特に限定はないが、具体的には、例えば、梱包材料等として使用されることがあるクラフト粘着テープ等のテープ材等を挙げることができる。このクラフト粘着テープは、一般的なクラフト紙の裏面側に簡易接着層を有し、表面側には裏面接着剤が浸透せず、防水シート１６と溶剤によって溶着せず変質しない処理剤（例えば、無溶剤系処理剤）をコーティングして形成されたテープ材である。
【００５０】
また、この押さえ板２４は、少なくともその防水シート１６側の隅部２４ｂは、曲面状に面取り加工することが好ましい。これにより、防水シート１６のうち押さえ板２４の隅部２４ｂと当接する部分に応力が集中して破損するのを抑制することができる。
【００５１】
更に、この押さえ板２４は、図２及び図４に示すように、固定具２０の頭部２０よりも大きな表面積を有するように形成する。これにより、図５に示すように固定具２０の頭部２０ａが防水シート１６を直接押し上げる場合に比べて、防水シート１６に加わる応力を分散することができるため、防水シート１６の損傷を抑制することができる。
【００５２】
一方、この押さえ板２４は、図２及び図３に示すように、接合部材本体２２の凹陥部２２ｂよりも小径に形成される。これにより、押さえ板２４が固定具２０の頭部２０ａにより相対的に押し上げられた場合でも、凹陥部２０ｂ内で防水シート１６に対して変位することができるスペースを確保することができ、その遊びにより防水シート１６へ加わる圧力を適切に逃がして、防水シート１６の損傷を抑制することができる。また、このように、押さえ板２４を接合部材本体２２の凹陥部２２ｂよりも小径に形成することにより、押さえ板２４を凹陥部２２ｂ内に確実に収納することができるため、防水シート１６のシート接合部材１４への溶着時に押さえ板２４が、凹陥部２２ｃ内で多少動くことがあっても、溶着時の押さえ圧や手の感覚によって、そのズレを判断することができ、押さえ板２４の位置を修正する等して、斜めに固着されるのを抑制することもできる。特に、この場合、押さえ板２４を凹陥部２２ｃよりも小径とすること、即ち、凹陥部２２ｃの深さ方向ではなく、押さえ板２４の側面方向に間隙を設けているため、後述するように、押さえ板２４を、その防水シート１６側の表面２４が接合部材本体２２の接合面２２ａと略同一面となるように設置しつつ、凹陥部２２ｃ内に収納することができる。
【００５３】
上記の固定具２０の頭部２０ａとの面積比や凹陥部２２ｂとの関係を考慮すると、この押さえ板２４の大きさは、直径約１０ｍｍ〜５０ｍｍ程度とすることが好ましく、この範囲であれば、固定具２０の頭部２０ａの圧力を受け止めて固定具２０の頭部２０ａ突出や防水シート１６の破損を適切に抑止することができるとともに、良好な取扱い性も確保することができる。
【００５４】
また、この押さえ板２４は、その裏面に、シーリング剤又は接着剤を塗布して、接合部材本体２２の凹陥部２２ｃに押し付けて仮固定することが望ましい。これにより、防水シート１６のシート接合部材１４への接合時において、圧力等が付加されても、押さえ板２４を適正な位置に位置決めすることができる。この場合、上記のように、押さえ板２４は、凹陥部２２ｃよりも小径に形成されているため、シーリング剤又は接着剤が押さえ板２４の裏面から側面側にはみ出しても、はみ出たシーリング剤又は接着剤が押さえ板２４と凹陥部２２ｃの内周面との間に生じる間隙内に止まるため、これらのはみ出たシーリング剤等が防水シート１６の溶着作業に影響を与えることがないと共に、余剰のシーリング剤等を拭き取る等の作業を必要としない点でも有利である。具体的には、凹陥部２２ｂとの関係では、押さえ板２４の直径を凹陥部２２ｂの直径よりも１ｍｍ〜２ｍｍ程度小さく設定すること（凹陥部２２ｂの直径を押さえ板２４の直径よりも１ｍｍ〜２ｍｍ程度大きく設定すること）が好ましい。
【００５５】
この場合、シーリング剤によっては、押さえ板２４を接合部材本体２２に完全に固定することはできず、固定具２０の頭部の２０ａの相対的な飛び出しにより、押さえ板２４が接合部材本体２２から離反するように押し上げられるのを許容することになるが、その場合であっても、押さえ板２４自体も液圧等により防水シート１６側からも圧力を受けるため、上記の通り、固定具２０の頭部２０ａと防水シート１６との間に、この押さえ板２４が確実に存在するので、防水シート１６の破損は防止される。また、シーリング剤の充填であれば、押さえ板２４の設置作業に多大な手間を要することもなく、良好な作業性を確保することができる。なお、このようなシーリング剤としては、例えば、塩化ビニル樹脂を溶剤で溶解させもの等を使用することができる。
【００５６】
一方、接着剤を使用した場合には、シーリング剤に比べ、押さえ板２４を、ある程度強固に接合部材本体２２と一体化させることができ、これにより、防水シート１６側からの圧力による固定具２０の頭部２０ａのシート接合面２２ａからの相対的な飛び出し自体を抑制することができる。この場合には、シート接合部材１４全体が固定具２０の頭部２０ａにより押し上げられる方向に付勢されるが、固定具２０の頭部２０ａが局地的に防水シート１６に圧力を付加することは防止できるため、防水シート１６の破損を充分に抑制することができる。また、接着剤によっても、押さえ板２４が接合部材本体２２から離反して押し上げられても、上記のシーリング剤の場合と同様、押さえ板２４の遊びにより防水シート１６の破損を抑制することができる。なお、このような接着剤としてはエポキシ樹脂系のもの等を使用することができる。
【００５７】
更に、上記のシーリング剤や接着剤等でシールする程度の充填補強を行う場合には、押さえ板２４の裏面（頭部収納部２２ｃ側の表面）にも、シーリング剤又は接着剤を塗布して、押さえ板２４の裏面と凹陥部２２ｂの底面との間を密着させておくと、上記の位置決め等を適切に行う上で好ましい。但し、固定具２０の頭部２０ａの頂面と押さえ板２４の裏面との間は固定せず、固定具２０の頭部２０ａが押さえ板２４に対して変位可能な自由状態にしておくことにより、圧力の逃げ道を確保することが望ましい。
【００５８】
また、本発明においては、押さえ板２４の防水シート１６側の表面２４は、図２に示すように、通常時（液圧等が付加されていない状態）では、接合部材本体２２の接合面２２ａと略同一面となるように設置される。このため、押さえ板２４を使用しても、図２に示すように、押さえ板２４と接合面２２ａとの間に段差が生じることがなく、作業の如何によって、押さえ板２４と接合面２２ａとの間に未溶着部分Ｎ（図６参照）が発生するのを防止して防水性を確保することができると同時に、敷設後に良好な外観を確保することもできる。
【００５９】
具体的には、本発明においては、図２及び図３に示すように、上記のように凹陥部２２ｂの底面を更に凹ませて頭部収納部２２ｃを形成し、また、この凹陥部２２ｂの深さを押さえ板２４の厚みとほぼ同様に設定することにより、固定具２０の頭部２０ａの上に押さえ板２４を設置しても、押さえ板２４がその厚みの分だけ接合面２２ａ上に突出することがなく、ほぼ同一面となるように対応している。
【００６０】
更に、本発明において、好ましくは、シート接合部材１４の接合部材本体２２は、躯体１２又は断熱材１８に埋め込まれて設置することが好ましい。これにより、凹陥部２２ｂが接合面２２ａよりも凹んで形成されていることと相俟って、シート接合部材１４自体が、断熱パネル等の断熱材１８から盛り上がることがなく、シート接合部材１４と断熱材１８や躯体１２等との間に未溶着部分Ｎが発生することも防止することができるとともに、より一層良好な外観を確保することができる。
【００６１】
具体的には、固定具２０の打ち込み又はねじ込みにより接合部材本体２２を断熱材１８等を介して躯体１２に固定する際に、接合部材本体２２が多少断熱材１８を圧潰して、断熱材１８内に押し込まれるように設置することにより対応することができる。但し、蓄熱層等のように接合部材本体２２が直接載置される対象が、断熱パネル等の断熱材のように弾性変形可能な場合にのみ対応すれば足り、接合部材本体２２をコンクリートの躯体１２に直接設置する場合等にまで埋め込む必要は必ずしもない。
【００６２】
防水シート１６としては、防水性を有する樹脂製のシートであれば特に限定なく使用することができ、上述した接合部材本体２２の接合面２２ａと同じく、例えば、ポリ塩化ビニル樹脂、ポリオレフィン系樹脂、エチレン酢酸ビニル共重合体等の軟質の合成樹脂や、合成ゴム系の材料などから形成されたものを使用することができるが、その中でも、特に、ポリ塩化ビニル樹脂が、溶剤溶着性や熱融着性に優れるため好適である。なお、シート接合部材１４の接合面２２ａの材質も、この防水シート１６と同じ材質に設定することが、溶剤による溶着接合を行う上で好ましい。
【００６３】
なお、この防水シート１６とシート接合部材１４との接合は、必ずしも、上記の溶剤による溶着接合に限定されるものではなく、必要に応じて、加熱により合成樹脂を溶融させて融着する熱融着の方法を採用することもできる。また、本発明の防水シート施工構造１０において、シート接合部材１４は、設置された全てのシート接合部材１４を防水シート１６と接合する必要は必ずしもなく、設置箇所に応じて、例えば、屋上等の風圧等により防水シート１６が浮上するおそれがある箇所では全てのシート接合部材１４に接合することが好ましいが、液槽等のように、液圧により防水シート１６が躯体１２に押し付けられる箇所においては、隅部等の所望の箇所においてのみシート接合部材１４に接合すれば、その他の平坦面に設置された円盤状等のシート接合部材１４については、単にその上から防水シート１６を敷設するだけで対応することもできる。この場合におけるシート接合部材１４は、専ら、固定具２０を介して断熱材１８を躯体１２に固定するための役割が主となるが、その場合であっても、勿論、液圧による固定具２０の頭部２０ａの相対的な突出に対して有効であり、本発明において意義あるものであることには変わりがない。
【００６４】
また、本発明は、上記のような蓄熱槽における液圧が付加される箇所のみならず、屋上等においても、防水シート１６に長期間に亘って作用する風圧力による負圧や繰り返し挙動の影響や、直下に断熱材１８がある場合には長期の屋外条件下での使用による寸法変化等を原因として、シート接合部材１４が変位や沈降する場合があり、その場合における固定具２０の頭部２０ａによる防水シート１６の損傷防止にも有効である。
【産業上の利用可能性】
【００６５】
本発明は、オフィスビルの屋上やオフィスビル等に設置される蓄熱槽等の防水性が要求される箇所に広く適用することができる。
【図面の簡単な説明】
【００６６】
【図１】本発明の防水シート施工構造の概略斜視図である。
【図２】図１におけるシート接合部材が固定された部分の縦断面図である。
【図３】本発明のシート接合部材の断面図である。
【図４】本発明のシート接合部材を躯体に固定する状態の概略斜視図である。
【図５】従来の防水シート施工構造の断面図である。
【図６】従来の他の防水シート施工構造の断面図である。
【図７】従来の更に他の防水シート施工構造の断面図である。
【符号の説明】
【００６７】
１０  防水シート施工構造
１２  躯体
１４  シート接合部材
１６  防水シート
１８  断熱材
２０  固定具
２０ａ  固定具の頭部
２２  接合部材本体
２２ａ  接合面
２２ｂ  凹陥部
２２ｃ  頭部収納部
２２ｄ  固定具貫通孔
２４  押さえ板
２４ａ  押さえ板の防水シート側の表面
２４ｂ  押さえ板の隅部
２４ｃ  押さえ板の側面
【図１】
2010105667.tif 000003
【図２】
2010105667.tif 000004
【図３】
2010105667.tif 000005
【図４】
2010105667.tif 000006
【図５】
2010105667.tif 000007
【図６】
2010105667.tif 000008
【図７】
2010105667.tif 000009